(57)【特許請求の範囲】
【請求項１】
板状の基部と、
この基部から起立するとともに先端部側の内壁面に前記基部と平行に突条を設けた第一保持部と、
この第一保持部と所定の間隔を隔てて前記基部から平行に起立し、前記第一保持部の高さより高くその先端部の内壁面に前記第一保持部の前記突条と平行でかつ該突条よりも開口端側に突条を設けた第二保持部と
を有し、
前記基部と前記第一保持部と前記第二保持部とにより、間仕切り部材の端部を装着するための凹溝を形成し、
前記第一保持部の高さと前記第二保持部の高さとの段差は、前記間仕切り部材の差込口を形成する前記第一保持部の突条と前記第二保持部の突条とが為す寸法が、前記間仕切り部材の厚みより大きくなるように設定され、
前記間仕切り部材側面が第一保持部および第二保持部と平行になると前記第一保持部の突条と前記第二保持部の突条とで前記間仕切り部材を挟み付ける
ことを特徴とする間仕切り用金具。
【請求項２】
請求項１記載の間仕切り用金具において、
前記第一保持部と前記第二保持部とは、前記凹溝に挿入された前記間仕切り部材の側面が第一保持部と平行になると前記間仕切り部材の側面に各突条を押し付けるバネ力を働かせるように撓む
ことを特徴とする間仕切り用金具。
【請求項３】
請求項１記載の間仕切り用金具を用い、前記板状の基部を天井部に取り付ける天井側枠部材と、
前記天井側枠部材の凹溝に装着される間仕切り部材とで構成され、
前記間仕切り部材の上端部を前記天井側枠部材に挿入する際には、天井側枠部材に形成する差込口に対し間仕切り部材を垂直から傾けた角度で挿入し、
前記間仕切り部材を垂直に立設する際には、前記間仕切り部材表面が第一保持部と平行になると前記第一保持部の突条と前記第二保持部の突条とで前記間仕切り部材を挟み付ける
ことを特徴とする間仕切り構造。
【請求項４】
請求項１記載の間仕切り用金具において、
長尺な板材から成り、天井部に取り付けられる基部と、
この基部から一体的に起立するとともに先端部側の内壁面に前記基部と平行に突条を一体的に設けた長尺な板材から成る第一保持部と、
この第一保持部と所定の間隔を隔てて前記基部から平行に一体的に起立し、前記第一保持部の高さより高くその先端部の内壁面に前記第一保持部の前記突条と平行でかつ該突条よりも開口端側に突条を一体的に設けた長尺な板材から成る第二保持部と
を有し、
前記基部と前記第一保持部と前記第二保持部により、間仕切り部材の端部を装着するための凹溝を長手方向に形成し、
前記第一保持部の高さと前記第二保持部の高さとの段差は、前記間仕切り部材の差込口を形成する前記第一保持部の突条と前記第二保持部の突条とが為す寸法が、前記間仕切り部材の厚みより大きくなるように設定され、
前記間仕切り部材側面が第一保持部および第二保持部と平行になると前記第一保持部の突条と前記第二保持部の突条とで前記間仕切り部材を挟み付ける
ことを特徴とする間仕切り用金具。
【請求項５】
請求項１記載の間仕切り用金具において、
長尺な板材から成り、床部に取り付けられる基部と、
この基部から一体的に起立するとともに先端部側の内壁面に前記基部と平行に突条を一体的に設けた長尺な板材から成る第一保持部と、
この第一保持部と所定の間隔を隔てて前記基部から平行に一体的に起立し、前記第一保持部の高さより高くその先端部の内壁面に前記第一保持部の前記突条と平行でかつ該突条よりも開口端側に突条を一体的に設けた長尺な板材から成る第二保持部と
を有し、
前記基部と前記第一保持部と前記第二保持部により、間仕切り部材の端部を装着するための凹溝を長手方向に形成し、
前記第一保持部の高さと前記第二保持部の高さとの段差は、前記間仕切り部材の差込口を形成する前記第一保持部の突条と前記第二保持部の突条とが為す寸法が、前記間仕切り部材の厚みより大きくなるように設定され、
前記間仕切り部材側面が第一保持部および第二保持部と平行になると前記第一保持部の突条と前記第二保持部の突条とで前記間仕切り部材を挟み付ける
ことを特徴とする間仕切り用金具。
【請求項６】
請求項１記載の間仕切り用金具において、
床部に取り付けられるフィルタ枠部材の端部に設けた凹溝内に嵌入する板状の脚部を一体的に有する長尺な板材から成る基部と、
この基部から一体的に起立するとともに先端部側の内壁面に前記基部と平行に突条を一体的に設けた長尺な板材から成る第一保持部と、
この第一保持部と所定の間隔を隔てて前記基部から平行に一体的に起立し、前記第一保持部の高さより高くその先端部の内壁面に前記第一保持部の前記突条と平行でかつ該突条よりも開口端側に突条を一体的に設けた長尺な板材から成る第二保持部と
を有し、
前記基部と前記第一保持部と前記第二保持部により、間仕切り部材の端部を装着するための凹溝を長手方向に形成し、
前記第一保持部の高さと前記第二保持部の高さとの段差は、前記間仕切り部材の差込口を形成する前記第一保持部の突条と前記第二保持部の突条とが為す寸法が、前記間仕切り部材の厚みより大きくなるように設定され、
前記間仕切り部材側面が第一保持部および第二保持部と平行になると前記第一保持部の突条と前記第二保持部の突条とで前記間仕切り部材を挟み付ける
ことを特徴とする間仕切り用金具。
【発明の詳細な説明】
【技術分野】
【０００１】
本発明は、間仕切り用金具に関する。
【背景技術】
【０００２】
従来、クリーンルームにおいては、例えば、特開平６−１９３９２９号公報、特開平８−６８２２１号公報などに開示されるように、天井に吊りボルトを取り付け、この吊りボルトでフィルタ枠部材を支持し、このフィルタ枠部材でファンフィルタユニットなどのクリーンユニットを担持して、クリーンユニットを所定の位置に敷設し、クリーンユニットの下方の室内を区画して形成したクリーンルーム内に清浄空気を送り出し、クリーンルーム内を所定の清浄度に保持することが知られている。
【０００３】
また、例えば、特開平６−１９３１６１号公報に開示されるように、室内の生産装置の変更やレイアウトの変更などに対し、間仕切りの変更を行うことが知られている。
【特許文献１】特開平６−１９３９２９号公報
【特許文献２】特開平８−６８２２１号公報
【特許文献３】特開平６−１９３１６１号公報
【発明の開示】
【発明が解決しようとする課題】
【０００４】
特開平６−１９３１６１号公報に開示されるように、室内の生産装置の変更やレイアウトの変更などに対し、間仕切りの変更を行うことは、比較的容易に行うことが可能である。
しかし、ファンフィルタユニットと天井との間の空間は、比較的狭く、作業をしづらいところであるため、上述の変更時に対応して、天井側空間内に間仕切りを設けることは容易にできなかった。
【０００５】
また、従来の間仕切りの設置では、間仕切り部材をビス止めし、さらにシリコーンシーラによってシールする必要があるため、手間暇を要するという問題があった。
本発明は斯かる従来の問題点を解決するために為されたもので、その目的は、作業が容易で確実に間仕切り部材を設置することが可能な間仕切り用金具を提供することにある。
【課題を解決するための手段】
【０００６】
請求項１に係る発明は、板状の基部と、この基部から起立するとともに先端部側の内壁面に前記基部と平行に突条を設けた第一保持部と、この第一保持部と所定の間隔を隔てて前記基部から平行に起立し、前記第一保持部の高さより高くその先端部の内壁面に前記第一保持部の前記突条と平行でかつ該突条よりも開口端側に突条を設けた第二保持部とを有し、前記基部と前記第一保持部と前記第二保持部とにより、間仕切り部材の端部を装着するための凹溝を形成し、前記第一保持部の高さと前記第二保持部の高さとの段差は、前記間仕切り部材の差込口を形成する前記第一保持部の突条と前記第二保持部の突条とが為す寸法が、前記間仕切り部材の厚みより大きくなるように設定され、前記間仕切り部材側面が第一保持部および第二保持部と平行になると前記第一保持部の突条と前記第二保持部の突条とで前記間仕切り部材を挟み付けることを特徴とする。
【０００７】
請求項２に係る発明は、請求項１記載の間仕切り用金具において、前記第一保持部と前記第二保持部とは、前記凹溝に挿入された前記間仕切り部材の側面が第一保持部と平行になると前記間仕切り部材の側面に各突条を押し付けるバネ力を働かせるように撓むことを特徴とする。
請求項３に係る発明は、請求項１記載の間仕切り用金具を用い、前記板状の基部を天井部に取り付ける天井側枠部材と、前記天井側枠部材の凹溝に装着される間仕切り部材とで構成され、前記間仕切り部材の上端部を前記天井側枠部材に挿入する際には、天井側枠部材に形成する差込口に対し間仕切り部材を垂直から傾けた角度で挿入し、前記間仕切り部材を垂直に立設する際には、前記間仕切り部材表面が第一保持部と平行になると前記第一保持部の突条と前記第二保持部の突条とで前記間仕切り部材を挟み付けることを特徴とする。
【０００８】
請求項４に係る発明は、請求項１記載の間仕切り用金具において、長尺な板材から成り、天井部に取り付けられる基部と、この基部から一体的に起立するとともに先端部側の内壁面に前記基部と平行に突条を一体的に設けた長尺な板材から成る第一保持部と、この第一保持部と所定の間隔を隔てて前記基部から平行に一体的に起立し、前記第一保持部の高さより高くその先端部の内壁面に前記第一保持部の前記突条と平行でかつ該突条よりも開口端側に突条を一体的に設けた長尺な板材から成る第二保持部とを有し、前記基部と前記第一保持部と前記第二保持部により、間仕切り部材の端部を装着するための凹溝を長手方向に形成し、前記第一保持部の高さと前記第二保持部の高さとの段差は、前記間仕切り部材の差込口を形成する前記第一保持部の突条と前記第二保持部の突条とが為す寸法が、前記間仕切り部材の厚みより大きくなるように設定され、前記間仕切り部材側面が第一保持部および第二保持部と平行になると前記第一保持部の突条と前記第二保持部の突条とで前記間仕切り部材を挟み付けることを特徴とする。
【０００９】
請求項５に係る発明は、請求項１記載の間仕切り用金具において、長尺な板材から成り、床部に取り付けられる基部と、この基部から一体的に起立するとともに先端部側の内壁面に前記基部と平行に突条を一体的に設けた長尺な板材から成る第一保持部と、この第一保持部と所定の間隔を隔てて前記基部から平行に一体的に起立し、前記第一保持部の高さより高くその先端部の内壁面に前記第一保持部の前記突条と平行でかつ該突条よりも開口端側に突条を一体的に設けた長尺な板材から成る第二保持部とを有し、前記基部と前記第一保持部と前記第二保持部により、間仕切り部材の端部を装着するための凹溝を長手方向に形成し、前記第一保持部の高さと前記第二保持部の高さとの段差は、前記間仕切り部材の差込口を形成する前記第一保持部の突条と前記第二保持部の突条とが為す寸法が、前記間仕切り部材の厚みより大きくなるように設定され、前記間仕切り部材側面が第一保持部および第二保持部と平行になると前記第一保持部の突条と前記第二保持部の突条とで前記間仕切り部材を挟み付けることを特徴とする。
【００１０】
請求項６に係る発明は、請求項１記載の間仕切り用金具において、床部に取り付けられるフィルタ枠部材の端部に設けた凹溝内に嵌入する板状の脚部を一体的に有する長尺な板材から成る基部と、この基部から一体的に起立するとともに先端部側の内壁面に前記基部と平行に突条を一体的に設けた長尺な板材から成る第一保持部と、この第一保持部と所定の間隔を隔てて前記基部から平行に一体的に起立し、前記第一保持部の高さより高くその先端部の内壁面に前記第一保持部の前記突条と平行でかつ該突条よりも開口端側に突条を一体的に設けた長尺な板材から成る第二保持部とを有し、前記基部と前記第一保持部と前記第二保持部により、間仕切り部材の端部を装着するための凹溝を長手方向に形成し、前記第一保持部の高さと前記第二保持部の高さとの段差は、前記間仕切り部材の差込口を形成する前記第一保持部の突条と前記第二保持部の突条とが為す寸法が、前記間仕切り部材の厚みより大きくなるように設定され、前記間仕切り部材側面が第一保持部および第二保持部と平行になると前記第一保持部の突条と前記第二保持部の突条とで前記間仕切り部材を挟み付けることを特徴とする。
【発明の効果】
【００１１】
本発明によれば、間仕切り部材を簡単に取り付けることができる。
また、本発明によれば、シール材を用いなくとも所定のシール性を確保することが可能である。
【発明を実施するための最良の形態】
【００１２】
以下、本発明を図面に示す実施形態に基づいて説明する。
図１ないし図５は、本発明の一実施形態に係る間仕切り部材を用いたフィルタ天井内間仕切り構造１を示す。
図１は、本実施形態に係るフィルタ天井内間仕切り構造１をクリーンルーム２の形成する室内３の天井側に適用した例を示す。
【００１３】
本実施形態においても、従来のクリーンルームと同様に、天井４に吊りボルト５を取り付け、この吊りボルト５でフィルタ枠部材６を支持し、このフィルタ枠部材６でファンフィルタユニットなどのフィルタ装置７を担持して、フィルタ装置７を所定の位置に敷設し、フィルタ装置７の下方の室内を区画して形成したクリーンルーム２内に清浄空気を送り出し、クリーンルーム２内を所定の清浄度に保持するようになっている。
【００１４】
本実施形態においては、フィルタ装置７とフィルタ装置７との間に間仕切り構造１０が形成されている。
この間仕切り構造１０は、金属製の天井側枠部材２０と、金属製の床側枠部材３０と、天井側枠部材２０と床側枠部材３０との間に装着された複数のパネルなどの間仕切り部材４０と、隣接する間仕切り部材４０の側端部を連結する連結枠部材５０とで構成されている。
【００１５】
金属製の天井側枠部材２０は、例えば、アルミニウムの引抜材または押出材から成り、天井４に接着剤（ビスなどの小型アンカーでも良い）２２により取り付けられる長尺な板材から成る基部２１と、この基部２１から一体的に起立するとともに先端部側の内壁面に基部２１と平行に断面三角形状の突条２４を一体的に設けた板状の第一保持部２３と、この第一保持部２３と所定の間隔を隔てて基部２１から平行に一体的に起立し、第一保持部２３の高さＨ１より高い高さＨ２を有し、その先端部の内壁面に第一保持部２３の突条２４と平行でかつ突条２４よりも開口端側に断面三角形状の突条２６を一体的に設けた板状の第二保持部２５を有する。
【００１６】
金属製の天井側枠部材２０は、基部２１と第一保持部２３と第二保持部２５により凹溝２７を長手方向に形成している。
第一保持部２３の高さＨ１と第二保持部２５の高さＨ２との段差ΔＨは、図３に示すように、下方から差し込まれる間仕切り部材４０の差込口を形成する第一保持部２３の突条２４と第二保持部２５の突条２６とが為す寸法Ｓが、間仕切り部材４０の厚みＴより大きくなるように設定されている。
【００１７】
第一保持部２３の突条２４は、第二保持部２５の突条２６より基部２１側に位置しており、所定の段差が設けてある。
金属製の床側枠部材３０は、例えば、アルミニウムの引抜材または押出材から成り、フィルタ枠部材６の端部に設けた凹溝６１内に嵌入する板状の脚部３９を一体的に有する板状の基部３１と、この基部３１から一体的に起立するとともに先端部側の内壁面に基部３１と平行に断面三角形状の突条３３を一体的に設けた第一保持部３２と、この第一保持部３２と所定の間隔を隔てて基部３１から平行に一体的に起立し、第一保持部３２の高さＨ３より高い高さＨ４を有し、その先端部の内壁面に第一保持部３２の突条３３と平行と平行でかつ突条３３よりも開口端側に断面三角形状の突条３５を一体的に設けた第二保持部３４を有する。
【００１８】
金属製の床側枠部材３０は、基部３１と第一保持部３２と第二保持部３４により凹溝３６を長手方向に形成している。
第一保持部３２の突条３３は、第二保持部３４の突条３５よりΔｈの差をもって基部３１側に位置している。突条３５と第二保持部３４の先端との間にシール代６２が設けてある。
【００１９】
基部３１は、脚部３９をフィルタ枠部材６の端部に設けた凹溝６１内に嵌入した後、シール材３７を充填してシールされている。
連結枠部材５０は、図４および図５に示すように、例えば、アルミニウムの引抜材または押出材から成り、床側枠部材３０との高さと同等またはやや低めの高さを有し、仕切り部材４０の側部４３，４４をそれぞれ挿入する凹部５１，５１と、各凹部５１，５１の対向する内壁面の先端側および後端側にそれぞれ形成された平行する断面三角形状の突条５２，５２、５３，５３を有する。先端側の断面三角形状の突条５２，５２は、差し込まれる間仕切り部材４０の両面から当接して支持し、後端側の断面三角形状の突条５３，５３は、差し込まれる間仕切り部材４０の両面から当接して支持して間仕切り部材４０のふらつきを防止する機能を発揮する。そのため、後端側の断面三角形状の突条５３，５３の間隔は、間仕切り部材４０の板厚より０．５ｍｍ程度狭くしてある。なお、後端側の断面三角形状の突条５３，５３は、凹部５１，５１の境界部を形成する仕切５４とは離れていないと、間仕切り部材４０の支持時に間仕切り部材４０に対して十分なバネ力を付与することができなくなるおそれがある。
【００２０】
次に、斯くして構成された本実施形態に係るフィルタ天井内間仕切り構造１の作用を説明する。
先ず、天井側枠部材２０と床側枠部材３０を天井４およびフィルタ枠部材６に取り付ける。
この際、天井側枠部材２０は、基部２１の裏面側を接着剤２２を介して天井４に固着する。
【００２１】
また、床側枠部材３０は、基部３１の脚部３９をフィルタ枠部材６の端部に設けた凹溝６１内に嵌入した後、シール材３８を充填してシールする。
以上で、天井側枠部材２０と床側枠部材３０から成る間仕切り用金具の装着が完了する。
次に、図３に示すように、手順を示すステップ１〜ステップ４に従って装着された間仕切り用金具に間仕切り部材４０を取り付ける。
【００２２】
ステップ１では、間仕切り部材４０を上端部４１から天井側枠部材２０の凹溝２７に向かって挿入する。この際、間仕切り部材４０の挿入は、間仕切り部材４０の側面４５に第一保持部２３の突条２４に当接させながら行う。
ステップ２では、間仕切り部材４０の上端部４１が第二保持部２５の内壁面に当接した時点で、間仕切り部材４０を凹溝２７の底面２８に向かって押し上げながら間仕切り部材４０の下端部４２を床側枠部材３０方向へ回動する。
【００２３】
ステップ３では、間仕切り部材４０の上端部４１を凹溝２７の底面２８に当接させるとともに凹溝２７に垂下した状態にする。この時点では、間仕切り部材４０は、側面４５が第一保持部２３の突条２４に当接するとともに他方の側面４６に第二保持部２５の突条２６が当接している。
ステップ４では、間仕切り部材４０を床側枠部材３０側へ落とし込み、間仕切り部材４０の下端部４２を床側枠部材３０の凹溝３６の底面３７に当接させる。この時点では、間仕切り部材４０は、側面４５が第一保持部３２の突条３３に当接するとともに他方の側面４６に第二保持部３４の突条３５が当接している。
【００２４】
斯くして、一つの間仕切り部材４０の間仕切り用金具に対する取付が完了する。
次に、必要とする枚数の間仕切り部材４０を同様にして取り付ける。
この際、各間仕切り部材４０間には、連結枠部材５０が取り付けられる。
連結枠部材５０は、一方の凹部５１内に装着された間仕切り部材４０の側部４３を圧入し、他方の凹部５１に次に装着された間仕切り部材４０の側部４４を圧入することにより、各間仕切り部材４０の間に取り付けられる。
【００２５】
以上により、本実施形態に係るフィルタ天井内間仕切り構造１が出来上がる。
斯くして構成された本実施形態に係るフィルタ天井内間仕切り構造１によれば、間仕切り部材４０を取り付ける間仕切り用金具は、天井側枠部材２０と床側枠部材３０から成り、天井側枠部材２０が天井４に接着剤２２により固着され、床側枠部材３０が下部に設けた脚部３９をフィルタ枠部材６の凹溝６１内にシール材３８によるシールで保持することによって装着されるので、間仕切り構造を構成する間仕切り用金具の設置が容易である。
【００２６】
また、天井側枠部材２０の第一保持部２３と第二保持部２５とは、それぞれの高さＨ１とＨ２とがＨ１＜Ｈ２としてあるので、間仕切り部材４０の挿入は、間仕切り部材４０を斜めにして上端部４１を凹溝２７内に挿入するだけで容易にできる。
しかも、天井側枠部材２０の第一保持部２３と第二保持部２５とにそれぞれに設置された突条２４，２６は、手前側になる第一保持部２３の突条２４が第二保持部２５の突条２６の位置より低くしてあるので、凹溝２７内に挿入された間仕切り部材４０の側面４５，４６が突条２４に当接し、間仕切り部材４０の挿入を助け、かつ回動をし易くすることができる。
【００２７】
また、天井側枠部材２０と床側枠部材３０とにより保持された間仕切り部材４０は、間仕切り部材４０の上下端部４１，４２の側面４５，４６が、天井側枠部材２０の第一保持部２３，第二保持部２５および床側枠部材３０の第一保持部３２，第二保持部３４にそれぞれ設けた突条２４，２６，３３，３５によって挟み付けられる。この際、天井側枠部材２０の第一保持部２３，第二保持部２５および床側枠部材３０の第一保持部３２，第二保持部３４は、挿入された間仕切り部材４０の上下端部４１，４２の側面４５，４６に対してそれぞれ設けた突条２４，２６，３３，３５を押しつけるバネ力が働き、間仕切り部材４０を銜え込んで保持することとなる。従って、一般的に行われているビス止めによるパネル固定が不要となり、さらに、シリコーンシーラでのシールも不要となる。
【００２８】
また、隣接する間仕切り部材４０間には、連結枠部材５０が装着されているので、連結部間の漏れも同様に防止することが可能である。
なお、上記実施形態では、シリコーンシーラでのシールを不要とした場合について説明したが、完全な固定とシール性を要求する場合には、図６に示すように、突条２４，２６，３３，３５の外側に設けたシール代６２にシリコーンシーラ７０でのシールを行っても良い。
【００２９】
また、上記実施形態では、大型クリーンルームに適用した場合について説明したが、小型クリーンルームや局所クリーンルームの場合のように間仕切り部材４０が１枚ですむような時には、連結枠部材５０は当然に省略される。
また、本発明では、クリーンルームに限らず、簡易な間仕切りを行う場合にも当然に適用することが可能である。
【００３０】
また、本実施形態では、金属製の天井側枠部材２０と金属製の床側枠部材３０とで間仕切り金具を構成しているが、何れか一方によって間仕切り金具を構成してもよい。
【図面の簡単な説明】
【００３１】
【図１】本発明の一実施形態に係るフィルタ天井内間仕切り構造を示す正面図である。
【図２】図１における間仕切り構造を示す正面図である。
【図３】図１における間仕切り構造を構築する手順を示す側面図である。
【図４】図１における間仕切り構造を示す側面図である。
【図５】図４における間仕切り構造を示す断面図である。
【図６】本発明の別の例を示す正面図である。
【符号の説明】
【００３２】
１  フィルタ天井内間仕切り構造
２  クリーンルーム
３  室内
４  天井
５  吊りボルト
６  フィルタ枠部材
７  フィルタ装置
１０  間仕切り構造
２０  天井側枠部材
２１  基部
２２  接着剤
２３  第一保持部
２４  突条
２５  第二保持部
２６  突条
２７  凹溝
３０  床側枠部材
３１  基部
３２  第一保持部
３３  突条
３４  第二保持部
３５  突条
３６  凹溝
３７  シール材
３９  脚部
４０  間仕切り部材
４１  上端部
４２  下端部
４３，４４  側面
５０  連結枠部材
５１  凹部
５２  突条
６１  凹溝
【図１】
0004499756.tif 000002
【図２】
0004499756.tif 000003
【図３】
0004499756.tif 000004
【図４】
0004499756.tif 000005
【図５】
0004499756.tif 000006
【図６】
0004499756.tif 000007